【手続補正書】
【提出日】令和2年3月10日(2020.3.10)
【手続補正１】
【補正対象書類名】明細書
【補正対象項目名】発明の名称
【補正方法】変更
【補正の内容】
【発明の名称】通信装置、電子時計、通信方法、及びプログラム
【手続補正２】
【補正対象書類名】明細書
【補正対象項目名】０００１
【補正方法】変更
【補正の内容】
【０００１】
本発明は、通信装置、電子時計、通信方法、及びこの通信方法を実行するためのプログラムに関する。
【手続補正３】
【補正対象書類名】明細書
【補正対象項目名】０００７
【補正方法】変更
【補正の内容】
【０００７】
この発明の目的は、無線通信装置の間のコネクションプロセスを改善する方法、この方法を実行する通信装置、電子時計、及びプログラムを提供することにある。
【手続補正４】
【補正対象書類名】明細書
【補正対象項目名】００１０
【補正方法】変更
【補正の内容】
【００１０】
本発明によると、無線通信装置の間のコネクションプロセスを改善することができる。 しかし、本発明の目的と効果は上記のものに制限されないし、下記の詳細な説明と添付の図面から本発明の他の目的と効果を理解することができる。
【手続補正５】
【補正対象書類名】特許請求の範囲
【補正対象項目名】全文
【補正方法】変更
【補正の内容】
【特許請求の範囲】
【請求項１】
無線通信のできる装置であって、
通信パケットを他の通信装置と送受信する通信部と、
サービスを構成するデータ要求のための機能及びデータ通信のための機能に関連付けられた参照情報と、前記参照情報の前記機能に関連するデータと、前記データを区別するための区別情報と、を記憶するメモリと、
プロセッサと、
を備え、
前記プロセッサは、前記データ通信のための機能に関連付けられた参照情報と、前記データと、前記区別情報と、を含むパケットを生成することを特徴とする通信装置。
【請求項２】
前記通信部を介して他の通信装置から特定の区別情報に対応するデータを要求するパケットが受信される場合に、
前記プロセッサは、前記メモリから前記特定の区別情報に対応するデータを取得し、一つの機能の参照情報と、取得されたデータと、前記データの区別情報と、を含むパケットを生成することを特徴とする請求項１に記載の通信装置。
【請求項３】
無線通信のできる装置であって、
通信パケットを他の通信装置と送受信する通信部と、
プロセッサと、
を備え、
前記プロセッサは、サービスを構成する少なくとも一つの機能に関連付けられた参照情報と、前記参照情報の前記機能に関連するデータと、前記データを区別するための区別情報と、パケットの用途を判別するためのフラグとを含むパケットを生成することを特徴とする通信装置。
【請求項４】
前記参照情報と、前記参照情報の前記機能に関連するデータと、前記データを区別するための区別情報と、を記憶するメモリ
を備えることを特徴とする請求項３に記載の通信装置。
【請求項５】
前記通信部を介して他の通信装置から特定の区別情報に対応するデータを要求するパケットが受信される場合に、
前記プロセッサは、前記メモリから前記特定の区別情報に対応するデータを取得し、一つの機能の参照情報と、取得されたデータと、前記データの区別情報と、を含むパケットを生成することを特徴とする請求項４に記載の通信装置。
【請求項６】
前記区別情報は、前記パケットのペイロードに記憶されることを特徴とする請求項１乃至５の何れか１項に記載の通信装置。
【請求項７】
前記区別情報は、他の通信装置によって要求されるデータの区別情報であることを特徴とする請求項１乃至６の何れか１項に記載の通信装置。
【請求項８】
前記通信部を介して他の通信装置からパケットが受信される場合に、
前記プロセッサは、前記パケットに含まれた機能の参照情報に基づいて、前記他の通信装置との通信を制御することを特徴とする請求項１乃至７の何れか１項に記載の通信装置。
【請求項９】
前記通信部を介して他の通信装置からパケットが受信される場合に、
前記プロセッサは、前記パケットに含まれたフラグの値に基づいて、前記他の通信装置との通信を制御することを特徴とする請求項１乃至７の何れか１項に記載の通信装置。
【請求項１０】
無線通信のできる装置であって、
通信パケットを他の通信装置と送受信する通信部と、
サービスを構成するデータ通信のための機能に関連付けられた参照情報と、前記参照情報の前記機能に関連するデータと、前記データを区別するための区別情報と、を記憶するメモリと、
プロセッサと、
を備え、
前記通信部を介して他の通信装置からパケットが受信される場合に、
前記プロセッサは、前記パケットのペイロードに前記区別情報及び当該区別情報に対応付けられたデータが含まれているかどうかに基づいて、前記他の通信装置との通信を制御することを特徴とする通信装置。
【請求項１１】
請求項１乃至１０の何れか１項に記載の通信装置と、
現在の日時を計数する計時部と、
前記計時部が計数した前記日時を表示する表示部と、
を備えることを特徴とする電子時計。
【請求項１２】
無線通信のできる装置であって、
他の通信装置から、サービスを構成する少なくとも一つの機能の参照情報を受信し、通信パケットを他の通信装置と送受信する通信部と、
一つ又はそれ以上のデータの区別情報を記憶するメモリと、
プロセッサと、
を備え、
前記プロセッサは、第１の機能の参照情報と、一つのデータの区別情報と、を含むパケットを生成することを特徴とする通信装置。
【請求項１３】
前記区別情報は、前記パケットのペイロードに記憶されることを特徴とする請求項１２に記載の通信装置。
【請求項１４】
前記プロセッサは、前記第１の機能とは異なる第２の機能の参照情報と、データと、前記データの区別情報と、を含むパケットを生成することを特徴とする請求項１２又は１３に記載の通信装置。
【請求項１５】
前記パケットは、当該パケットの用途を判別するためのフラッグを更に含むことを特徴とする請求項１２又は１３に記載の通信装置。
【請求項１６】
サービスを構成するデータ要求のための機能及びデータ通信のための機能に関連付けられた参照情報を記憶するメモリを備えた無線通信装置の通信方法であって、
他の通信装置に送信するデータを取得するステップと、
前記データ通信のための機能に関連付けられた参照情報と、取得されたデータと、前記データを区別するための区別情報と、を含むパケットを生成するステップと、
前記パケットを前記他の通信装置に送信するステップと、
を備えることを特徴とする通信方法。
【請求項１７】
無線通信装置の通信方法であって、
他の通信装置に送信するデータを取得するステップと、
データ通信に関連する機能の参照情報と、取得されたデータと、前記データを区別するための区別情報と、パケットの用途を判別するためのフラグとを含むパケットを生成するステップと、
前記パケットを前記他の通信装置に送信するステップと、
を備えることを特徴とする通信方法。
【請求項１８】
無線通信のできる装置の通信方法であって、
他の通信装置から、サービスを構成する少なくとも一つの機能の参照情報を含むサービス情報を受信するステップと、
メモリから、前記他の通信装置と関連するデータの区別情報を取得するステップと、
一つの機能の参照情報と、取得された区別情報と、を含むパケットを生成するステップと、
前記パケットを前記他の通信装置に送信するステップと、
を備えることを特徴とする通信方法。
【請求項１９】
サービスを構成するデータ要求のための機能及びデータ通信のための機能に関連付けられた参照情報を記憶するメモリを備えた無線通信のできる装置に、
他の通信装置に送信するデータを取得するステップと、
前記データ通信のための機能に関連付けられた参照情報と、取得されたデータと、前記データを区別するための区別情報と、を含むパケットを生成するステップと、
前記パケットを前記他の通信装置に送信するステップと、
を実行させるプログラム。
【請求項２０】
無線通信のできる装置に、
他の通信装置に送信するデータを取得するステップと、
データ通信に関連する機能の参照情報と、取得されたデータと、前記データを区別するための区別情報と、パケットの用途を判別するためのフラグとを含むパケットを生成するステップと、
前記パケットを前記他の通信装置に送信するステップと、
を実行させるプログラム。
【請求項２１】
無線通信のできる装置に、
他の通信装置から、サービスを構成する少なくとも一つの機能の参照情報を含むサービス情報を受信するステップと、
メモリから、前記他の通信装置と関連するデータの区別情報を取得するステップと、
一つの機能の参照情報と、取得された区別情報と、を含むパケットを生成するステップと、 前記パケットを前記他の通信装置に送信するステップと、
を実行させるプログラム。